(57)【要約】  ユーザのアキレス腱を最適に固定することができる歩行用装具を提供すること。  本発明に係るユーザの歩行を補助する歩行用装具は、ユーザの下腿後面から足裏面までを覆う第１保護部材と、ユーザの下腿前面のうち、膝下付近から足首上付近との間の少なくとも一か所で、ユーザの足を第１保護部材に固定する第１固定部材と、を備え、第１保護部材が、ユーザのアキレス腱を左右から挟み足首周辺部に押し当てる内部パッドを収容する収容部を有する。
2019012705.tif 000002
【特許請求の範囲】
【請求項１】
ユーザの歩行を補助する歩行用装具であって、
前記ユーザの下腿後面から足裏面までを覆う第１保護部材と、
前記ユーザの下腿前面のうち、前記膝下付近から足首上付近との間の少なくとも一か所で、前記ユーザの足を前記第１保護部材に固定する第１固定部材と、を備え、
前記第１保護部材が、前記ユーザのアキレス腱を左右から挟み前記足首周辺部に押し当てる内部パッドを収容する収容部を有する、歩行用装具。
【請求項２】
前記歩行用装具は、更に、
前記ユーザの足の甲の少なくとも一か所で、前記ユーザの足を前記第１保護部材に固定する第２固定部材と、を備えることを特徴とする請求項１に記載の歩行用装具。
【請求項３】
前記歩行用装具は、更に、
前記ユーザの下腿前面から足の甲までを覆う第２保護部材と、を備え、
前記第１固定部材が、前記ユーザの足を前記第１保護部材と前記第２保護部材とに固定することを特徴とする、請求項１に記載の歩行用装具。
【請求項４】
前記第１保護部材において、前記足裏面部分の水平軸を基準にして、前記足裏面部分の水平軸と前記下腿後面部分との間を成す角度が７５〜８０°であることを特徴とする、請求項１から３のいずれか１項に記載の歩行用装具。
【請求項５】
前記足裏面部分の水平軸と前記下腿後面部分との間を成す角度が８０°であることを特徴とする、請求項４に記載の歩行用装具。
【発明の詳細な説明】
【技術分野】
【０００１】
本発明は、ユーザの歩行を補助する歩行用装具に関し、特にアキレス腱断裂患者の歩行を補助する歩行用装具に関する。
【背景技術】
【０００２】
アキレス腱断裂は、踏み込み・ダッシュ・ジャンプなどの動作でふくらはぎの筋肉（下腿三頭筋）が急激に収縮した時や、着地動作などで急に筋肉が伸ばされた時などに発生する。【０００３】
従来、アキレス腱断裂の治療には、（１）手術を行わずにギプスや装具を用いて治療する保存治療、および（２）断裂したアキレス腱を直接縫合する手術治療などが採用されてきた。【０００４】
保存治療は、手術を行わないというメリットがあるものの、ギブスや装具などによって長期間に亘って固定する必要がある他、アキレス腱の再断裂を起こし易い傾向があることが認められている。【０００５】
このため、早期回復を望む患者に対して手術治療が採用されている。しかし、手術治療であっても、手術後には、患部周辺をギブスによって長期間に亘って固定することが必要である。【０００６】
手術治療後において、患者のアキレス腱の患部周辺は、ギプスによって長期間に亘って固定されることから、ギブスによって圧迫固定された状況が継続し、身体的に負担を強いる問題があった。【０００７】
そこで、近年においては、アキレス腱断裂・アキレス腱炎症など足を負傷した患者の負担を軽減するための装具がさまざま開発されている。【０００８】
例えば、特許文献１には、堅固な構造体と、複数の協働ファスナー手段とを具備する、取り外し及びその後の再取り付けが可能な、負傷した身体部分を固定するのに有用な堅固なギブスが開示されている。【０００９】
特許文献１に開示された堅固なギブスは、これまで取り外した後に、再び取り付けることができなかったギブスに存在する問題を克服するためになされた発明である。
【先行技術文献】
【特許文献】
【００１０】
【特許文献１】特表昭６２−５０２１０５号公報
【発明の概要】
【発明が解決しようとする課題】
【００１１】
しかしながら、特許文献１に開示された堅固なギブスでは、松葉杖などの補助具を用いなければ、患者は歩行することはできない。【００１２】
本発明は、上述のような課題を解決するために、ユーザのアキレス腱を最適に固定することができる歩行用装具を提供することを目的とする。
【課題を解決するための手段】
【００１３】
本発明に係る歩行用装具は、上記目的を達成のため、ユーザの歩行を補助する歩行用装具であって、ユーザの下腿後面から足裏面までを覆う第１保護部材と、ユーザの下腿前面のうち、膝下付近から足首上付近との間の少なくとも一か所で、ユーザの足を第１保護部材に固定する第１固定部材と、を備え、第１保護部材が、ユーザのアキレス腱を左右から挟み足首周辺部に押し当てる内部パッドを収容する収容部を有する、歩行用装具。
【発明の効果】
【００１４】
本発明に係る歩行用装具によれば、ユーザのアキレス腱を最適に固定することができる。【００１５】
更に、本発明に係る歩行用装具によれば、本発明に係る歩行用装具を装着したユーザが歩行することで、アキレス腱断裂に伴う機能障害を回復させるといったリハビリ治療をも可能にさせる。
【図面の簡単な説明】
【００１６】
【図１】図１は、本発明に係る歩行用装具の第１の実施形態１００を示す図である。
【図２】図２は、本発明に係る歩行用装具の第２の実施形態２００を示す図である。
【図３】図３は、ユーザＵの足の部位を説明するための模式図である。
【図４】図４は、アキレス腱断裂患者であるユーザＵが、本発明に係る歩行用装具を装着した状態を示す図である。
【図５】図５は、第１保護部材１の形状の一例を示す模式図である。
【図６】図６は、ユーザのアキレス腱ｇを左右から挟み足首ｅ周辺部に押し当てる内部パッドの一例を示す模式図である。
【発明を実施するための形態】
【００１７】
次に、本発明に係る、ユーザの歩行を補助する歩行用装具の実施形態について、図面を参照して説明する。
【００１８】
［第１の実施形態］
図１は、本発明に係る歩行用装具の第１の実施形態１００を示す図である。
図１（ａ）は、第１固定部材３が第１保護部材１に固定される前の状態を示し、図１（ｂ）は、第１固定部材３が第１保護部材１に固定された後の状態を示す図である。
【００１９】
図３は、ユーザの足の部位を説明するための模式図である。
【００２０】
図１に示される、本発明に係る第１の実施形態である歩行用装具１００は、図３に示される、ユーザの下腿後面Ｘから足裏面Ｚまでを覆う第１保護部材１と、ユーザの下腿前面Ｙのうち、膝下ｃ付近から足首ｅ上付近との間の少なくとも一か所で、ユーザの足を第１保護部材１に固定する第１固定部材３と、を備える。
また、第１保護部材１が、ユーザのアキレス腱ｇを左右から挟み足首ｅ周辺部に押し当てる内部パッドを収容する収容部７を有する。
【００２１】
［第２の実施形態］
図２は、本発明に係る歩行用装具の第２の実施形態２００を示す図である。
図２（ａ）は、第１固定部材３が第１保護部材１に固定される前の状態を示し、図２（ｂ）は、第１固定部材３が第１保護部材１に固定された後の状態を示す図である。
【００２２】
図２に示される、本発明に係る第２の実施形態である歩行用装具２００は、図３に示される、ユーザの下腿後面Ｘから足裏面Ｚまでを覆う第１保護部材１と、ユーザの下腿前面Ｙから足の甲ｄまでを覆う第２保護部材２と、ユーザの下腿前面Ｙのうち、膝下ｃ付近から足首ｅ上付近との間の少なくとも一か所で、ユーザの足を第１保護部材１と第２保護部材２とに固定する第１固定部材３と、を備える。
また、第１保護部材１が、ユーザのアキレス腱ｇを左右から挟み足首ｅ周辺部に押し当てるFを収容する収容部７を有する。
【００２３】
図３を参照しながら、「下腿後面Ｘ」、「下腿前面Ｙ」および、「足裏面Ｚ」を説明する。
「下腿後面Ｘ」とは、膝裏のくぼみａ下付近から踵ｂまでのことを指していい、「下腿前面Ｙ」とは、膝下ｃ付近から足首ｅ上までのことを指していう。また、「足裏面Ｚ」とは、踵ｂから指先ｆまでのことを指していう。
【００２４】
図５は、第１保護部材１の形状の一例を示す模式図である。
【００２５】
第１保護部材１の形状は、図３，図５に示されるように、ユーザの下腿後面Ｘから足裏面Ｚまでを覆い、ユーザのアキレス腱ｇを左右から挟み足首ｅ周辺部に押し当てる内部パッドを収容する収容部７を有することができる形状であれば、特に限定されない。
【００２６】
図６は、ユーザのアキレス腱ｇを左右から挟み足首ｅ周辺部に押し当てる内部パッド８の一例を示す模式図である。
【００２７】
第１保護部材１が有する収容部７は、図６に示されるような内部パッド８を収容することができる空間であれば、その空間構造は特に限定されない。
【００２８】
内部パッド８は、ユーザＵのアキレス腱ｇを左右から挟み足首ｅ周辺部に押し当てることができるような構造であれば、特に限定されない。
【００２９】
内部パッド８は、図６に示されるように、例えば、アキレス腱ｇに対向するように配置される中央部Ｋ、アキレス腱ｇの左側に沿うように配置される棒状部材Ｌ、およびアキレス腱ｇの右側に沿うように配置される棒状部材Ｒから構成される。
【００３０】
棒状部材Ｌ，棒状部材Ｒとしては、同一素材、同一形状であることが好ましく、例えば、綿のようなクッション性のある素材を用い、直径１．８〜２．２ｃｍ、および長さ８〜１２ｃｍの形状となるように構成する。
【００３１】
内部パッド８の製造方法は、棒状部材Ｌと棒状部材Ｒとを所定の間隔で配置させて、アキレス腱ｇに対向するように中央部Ｋを形成させることができれば、特に限定されるものではない。
【００３２】
内部パッド８の製造方法としては、例えば、ガーゼ製の布に、棒状部材Ｌと棒状部材Ｒとを所定の間隔で配置し、その上に別のガーゼ製の布を被せる。そして、位置ずれしないよう棒状部材Ｌと棒状部材Ｒとの周辺部を糸などで縫うことに伴い、中央部Ｋを形成させる。
【００３３】
内部パッド８は、ユーザのアキレス腱ｇの形状や太さなどに応じて、棒状部材Ｌ，棒状部材Ｒの直径や長さ、中央部Ｋの幅を設計して構成されることが好ましい。
【００３４】
ユーザのアキレス腱ｇの形状や太さの把握は、実際に、直診や検査などにより行うことができるが、３Ｄプリンタ（三次元造形装置）を用いて行うこともできる。
【００３５】
例えば、ユーザのアキレス腱ｇを含む足首ｅ周辺部に対して表面スキャンを行うことで、アキレス腱ｇを含む足首ｅ周辺部の表面三次元形状に関する情報を取得することができる。
【００３６】
次いで、取得した表面三次元形状情報に基づき、積層造形（Ａｄｄｉｔｉｖｅ  Ｍａｎｕｆａｃｔｕｒｉｎｇ）技術によって、アキレス腱ｇを含む足首ｅ周辺部の造形体を３Ｄプリンタ（三次元造形装置）から出力する。
【００３７】
出力されたアキレス腱ｇを含む足首ｅ周辺部の造形体によって、ユーザのアキレス腱ｇの形状や太さの把握を行うことができる。
【００３８】
これによって、実際に直診や検査など行わなくとも、ユーザのアキレス腱ｇの形状や太さの把握を行うことができ、最適な内部パッド８を作製することが可能となる。
【００３９】
アキレス腱ｇの太さは個人差があるが、アキレス腱ｇの太さは人間の身長などの体格に、一般に比例するといわれている。
【００４０】
このため、例えば、身長１５０〜１６０ｃｍ、身長１６０〜１７０ｃｍ、および身長１７０〜１８０ｃｍなどのように体格に応じて、棒状部材Ｌ，棒状部材Ｒの直径や長さ、中央部Ｋの幅をそれぞれ設計することができる。
【００４１】
これによって、棒状部材Ｌ，棒状部材Ｒ，および中央部Ｋから構成される、内部パッド８は、Ｓサイズ、Ｍサイズ、およびＬサイズなどのように規格化して、内部パッド８を製造することができる。
【００４２】
本発明に係る歩行用装具は、第１保護部材１に内部パッド８を収容する収容部７を設けたことによって、ユーザのアキレス腱ｇを最適に固定することができ、アキレス腱ｇを断裂前の状態に治癒し易くすることができる。
【００４３】
内部パッド８を用いなかった場合には、アキレス腱ｇを最適に固定させることができず、アキレス腱ｇを断裂前の状態よりも太くさせてしまうおそれがある。これにより、太くなってしまったアキレス腱ｇは再断裂の危険性が高まるため好ましくない。
【００４４】
なお、ユーザＵは、内部パッド８をユーザＵのアキレス腱ｇを左右から挟み足首ｅ周辺部に押し当てた状態にした後で、本発明に係る歩行用装具を装着してもよい。
【００４５】
第１保護部材１の形状としては、例えば、図３に示される、ユーザの下腿後面Ｘから足裏面Ｚまでを一部材とし一体的に覆うことができる形状、およびユーザの下腿後面Ｘと足裏面Ｚをそれぞれ別部材とし接合させて一体的に覆うことができる形状などが挙げられる。
【００４６】
第１保護部材１の外側を構成する素材は、歩行用装具を装着した側の足を外側から保護できる素材であれば、特に限定されない。
【００４７】
第１保護部材１の外側を構成する素材としては、例えば、プラスチック製の硬質素材、および石膏製の硬質素材などが挙げられる。
【００４８】
一方、第１保護部材１の内側を構成する素材は、歩行用装具を装着した側の足を内側から保護できる素材であれば、特に限定されない。
【００４９】
第１保護部材１の内側を構成する素材としては、例えば、歩行用装具を装着した側の足に対してフィット性を有する素材、およびユーザＵの歩行に対して耐久性を有する素材などが挙げられる。
【００５０】
第２保護部材２の形状は、図２に示されるように、ユーザＵの下腿前面Ｙから足の甲ｄまでを覆うことができる形状であれば、特に限定されない。
【００５１】
第２保護部材２の形状としては、例えば、ユーザＵの下腿前面Ｙから足の甲ｄまでを一部材とし一体的に覆うことができる形状などが挙げられる。
【００５２】
第２保護部材２の外側を構成する素材は、歩行用装具を装着した側の足を外側から保護できる素材であれば、特に限定されない。
【００５３】
第２保護部材２の外側を構成する素材としては、例えば、プラスチック製の硬質素材、および石膏製の硬質素材などが挙げられる。
【００５４】
一方、第２保護部材２の内側を構成する素材は、歩行用装具を装着した側の足を内側から保護できる素材であれば、特に限定されない。
【００５５】
第２保護部材２の内側を構成する素材としては、例えば、歩行用装具を装着した側の足に対してフィット性を有する素材、およびユーザＵの歩行に対して耐久性を有する素材などが挙げられる。
【００５６】
人間の体格には身長や体重など個人差があるが、「下腿後面Ｘ」、「下腿前面Ｙ」および、「足裏面Ｚ」のそれぞれの長さは、人間の身長などの体格に、一般に比例するといわれている。
【００５７】
このため、例えば、身長１５０〜１６０ｃｍ、身長１６０〜１７０ｃｍ、および身長１７０〜１８０ｃｍなどのように体格に応じて、第１保護部材１および第２保護部材２をそれぞれ設計することができる。
【００５８】
これによって、第１保護部材１および第２保護部材２から構成される、本発明に係る歩行用装具は、Ｓサイズ、Ｍサイズ、およびＬサイズなどのように規格化して、本発明に係る歩行用装具を製造することができる。
【００５９】
第１の実施形態に係る歩行用装具１００は、図１に示されるように、ユーザＵの下腿前面Ｙのうち、膝下ｃ付近から足首ｅ上付近の少なくとも一か所で、ユーザＵの足を第１保護部材１に固定する第１固定部材３を備える。
【００６０】
更に、第１の実施形態に係る歩行用装具１００は、図１に示されるように、ユーザＵの足の甲ｄの少なくとも一か所で、ユーザＵの足を第１保護部材１に固定する第２固定部材を備える。
【００６１】
第２の実施形態に係る歩行用装具２００は、図２に示されるように、ユーザＵの下腿前面Ｙのうち、膝下ｃ付近から足首ｅ上付近の少なくとも一か所で、ユーザＵの足を第１保護部材１と第２保護部材２とに固定する第１固定部材３を備える。
【００６２】
第１固定部材３は、第１の実施形態に係る歩行用装具１００では、図１に示されるように、ユーザＵの足を第１保護部材１に固定することができる機能があれば、特に限定されるものではない。
【００６３】
また、第１固定部材３は、第２の実施形態に係る歩行用装具２００では、図２に示されるように、ユーザＵの足を第１保護部材１と第２保護部材２に固定することができる機能があれば、特に限定されるものではない。
【００６４】
第１固定部材３としては、例えば、図１，図２に示されるように、バックル付きベルトが挙げられ、ユーザＵの足の太さに応じてベルトを締めて固定する機能や、ベルトを緩める機能を有していることが好ましい。
【００６５】
本発明に係る歩行用装具は、図１，図２に示されるように、第１保護部材１において、足裏面部分５の水平軸Ｈを基準にして、足裏面部分５の水平軸Ｈと下腿後面部分６との間の角度が７０〜８０°を成すことが好ましく、８０°を成すことがより好ましい。
【００６６】
図４は、アキレス腱断裂患者であるユーザＵが、本発明に係る歩行用装具を装着した状態を示す図である。
【００６７】
本発明に係る歩行用装具によれば、図４に示されるように、ユーザＵのアキレス腱を伸ばさない最適な角度でユーザＵの足を固定することができ、松葉杖などの補助具を用いることなく、ユーザＵの歩行を可能にさせる。
【００６８】
更に、本発明に係る歩行用装具によれば、図４に示されるように、本発明に係る歩行用装具を装着したユーザＵが歩行することで、アキレス腱断裂に伴う機能障害を回復させるといったリハビリ治療をも可能にさせる。
【００６９】
上記足裏面部分５の水平軸Ｈと下腿後面部分６との間の角度が、上記範囲未満（７０°未満）であった場合、ユーザＵのアキレス腱を伸ばさない効果は比較的得られるものの、松葉杖などの補助具を用いることなく、ユーザＵの歩行を可能にさせるほどの安定感は得られない。
【００７０】
一方、上記足裏面部分５の水平軸Ｈと下腿後面部分６との間の角度が、上記範囲を超える（８０°を超える）場合、ユーザＵの歩行を比較的安定的に可能にさせるものの、ユーザＵのアキレス腱が伸びてしまい、アキレス腱断裂に伴う機能障害を回復させるといったリハビリ治療の効果は得られない。
【００７１】
本発明は、ユーザＵが歩行することで、アキレス腱断裂に伴う機能障害を回復させるといったリハビリ治療をも可能にさせる。
【００７２】
図４に示されるように、本発明に係る歩行用装具を装着したユーザＵは、松葉杖などの補助具を用いることなく、歩行することができる。
【００７３】
リハビリ治療の効果を発揮させる観点から、ユーザＵの歩行の仕方は、歩行用装具を装着した側の足は、踵ｂを軸として指先ｆが外側に向くよう外旋させて、踵ｂに重心がかかるように歩行することが好ましい。
【００７４】
一方、ユーザＵが、踵ｂに重心がかかるような歩行（踵重心歩行）ではなく、指先ｆに重心がかかるような歩行（指先重心歩行）をすると、ユーザＵのアキレス腱が伸びてしまい、アキレス腱の再断裂のおそれが生じてしまう場合がある。
【００７５】
本発明に係る歩行用装具には、ユーザＵの歩行状況を外部に知らせる外部報知機能が備えられていることが好ましい。ここで「外部」とは、例えば、ユーザＵ、リハビリ治療支援者、および医療従事者などが挙げられる。
【００７６】
例えば、第１保護部材１において、ユーザＵの踵ｂに接する踵部分、およびユーザＵの指先ｆに接する指先部分のそれぞれに、圧力センサを設置することで、ユーザＵの歩行状況を把握するために必要な情報を得ることができる。
【００７７】
圧力センサは、ユーザＵの歩行に伴い、踵部分および指先部分のそれぞれに負荷される圧力を検知する。圧力センサとしては、例えば、ＦＳＲセンサ（秋月電子社製）などが用いられる。
【００７８】
ユーザＵが歩行している際に、圧力センサによって踵部分に所定圧力が所定時間検知された場合、外部報知機能が、ユーザＵは踵重心歩行を行っていると判定し、すなわち、ユーザＵはリハビリ治療の観点から好ましい歩行を行っていると判定し、その判定情報を外部に報知する。
【００７９】
一方、ユーザＵが歩行している際に、圧力センサによって指先部分に所定圧力が所定時間検知された場合、外部報知機能が、ユーザＵは指先重心歩行を行っていると判定し、すなわち、ユーザＵはリハビリ治療の観点から好ましくない歩行を行っていると判定し、その判定情報を外部に報知する。
【００８０】
このように、外部報知機能が、ユーザＵはリハビリ治療の観点から好ましい歩行を行っていると判定した場合、外部に報知する手段として、例えば、本発明に係る歩行用装具の一部分が青色に発光するように設計することができる。
【００８１】
一方、外部報知機能が、ユーザＵはリハビリ治療の観点から好ましい歩行を行っていないと判定した場合、外部に報知する手段として、例えば、本発明に係る歩行用装具の一部分が赤色に発光するように設計することができる。
【００８２】
また、本発明に係る歩行用装具には、ユーザＵの歩行速度・歩行角度に関する情報を検出する機能、歩行用装具の内部環境における温度・湿度・気圧に関する情報を検出する機能、および歩行用装具の外部環境における温度・湿度・気圧に関する情報を検出する機能などを備えることもできる。
【００８３】
更に、本発明に係る歩行用装具には、これらの検出された情報を、スマートフォンなどの出力装置に無線送信する機能を備えることもできる。無線送信機能としては、無線送信可能なデバイスを用い、Ｂｌｕｅｔｏｏｔｈ（登録商標）の方式を採用することができる。
【００８４】
［付記事項］
本発明は上述した実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。更に、各実施の形態にそれぞれ開示された技術的手段を組み合わせることにより、新しい技術的特徴を形成できる。
【符号の説明】
【００８５】
１００  本発明に係る第１の実施形態である歩行用装具
２００  本発明に係る第２の実施形態である歩行用装具
Ｕ  ユーザ
１  第１保護部材
２  第２保護部材
３  第１固定部材
４  第２固定部材
５  足裏面部分
６  下腿後面部分
７  収容部
８  内部パッド
Ｘ  下腿後面
Ｙ  下腿前面
Ｚ  足裏面
Ｈ  水平軸
Ｌ  棒状部材
Ｒ  棒状部材
Ｋ  中央部
ａ  膝裏のくぼみ
ｂ  踵
ｃ  膝下
ｄ  足の甲
ｅ  足首
ｆ  指先
ｇ  アキレス腱
【図１】
2019012705.tif 000003
【図２】
2019012705.tif 000004
【図３】
2019012705.tif 000005
【図４】
2019012705.tif 000006
【図５】
2019012705.tif 000007
【図６】
2019012705.tif 000008
【手続補正書】
【提出日】令和1年12月31日(2019.12.31)
【手続補正１】
【補正対象書類名】特許請求の範囲
【補正対象項目名】全文
【補正方法】変更
【補正の内容】
【特許請求の範囲】
【請求項１】
ユーザの歩行を補助する歩行用装具であって、
前記ユーザの下腿後面から足裏面までを覆う第１保護部材と、
前記ユーザの下腿前面のうち、前記膝下付近から足首上付近との間の少なくとも一か所で、前記ユーザの足を前記第１保護部材に固定する第１固定部材と、を備え、
前記第１保護部材が、前記ユーザのアキレス腱を左右から挟み前記足首周辺部に押し当てる内部パッドを収容する収容部と、
圧力センサを備え、ユーザの歩行状況を外部に知らせる外部報知機能とを有する、歩行用装具。
【請求項２】
前記歩行用装具は、更に、
前記ユーザの足の甲の少なくとも一か所で、前記ユーザの足を前記第１保護部材に固定する第２固定部材と、を備えることを特徴とする請求項１に記載の歩行用装具。
【請求項３】
前記歩行用装具は、更に、
前記ユーザの下腿前面から足の甲までを覆う第２保護部材と、を備え、
前記第１固定部材が、前記ユーザの足を前記第１保護部材と前記第２保護部材とに固定することを特徴とする、請求項１に記載の歩行用装具。
【請求項４】
前記第１保護部材において、前記足裏面部分の水平軸を基準にして、前記足裏面部分の水平軸と前記下腿後面部分との間を成す角度が７５〜８０°であることを特徴とする、請求項１から３のいずれか１項に記載の歩行用装具。
【請求項５】
前記足裏面部分の水平軸と前記下腿後面部分との間を成す角度が８０°であることを特徴とする、請求項４に記載の歩行用装具。
【国際調査報告】
2019012705.tif 000009
2019012705.tif 000010
2019012705.tif 000011
2019012705.tif 000012